(57)【要約】【課題】構造簡単にして便座の高さと傾きの調節を簡易迅速に行うことが可能な椅子型簡易便器の提供。【解決手段】脚体に高さ調整可能に支持された座部枠体に開閉式便座を有し、前記座部枠体には背もたれが一体に設けられ、前記便座の両サイド部に肘掛けを備え、便座の上に載置する開閉式座りパットを有する椅子型簡易便器であって、接地部材に立設した垂直板に着脱可能に装着されたＬ形接続ピン部材、前記座部枠体に縦設された前記Ｌ形接続ピン部材の凹凸嵌合用有底孔を備え、前記Ｌ形接続ピン部材の上下位置を前後逆にして座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となした、座部枠体の前傾と後傾及び高さ調整機構を備えたことを特徴とする。【選択図】      図３
2017064308.tif 000002
【特許請求の範囲】
【請求項１】
脚体に高さ調整可能に支持された座部枠体に開閉式便座を有し、前記座部枠体には背もたれが一体に設けられ、前記便座には着脱式の便器を有し、前記便座の両サイド部には跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体が高さ調整可能に取付けられ、前記開閉式便座と開閉式座りパットがそれぞれ前記座部枠体の背面側に相重なるように着脱可能に取着された椅子型簡易便器において、前記接地部材に立設した垂直板の前記座部枠体との対向面の前後上端部に、一端に突起部を有するＬ形接続ピン部材がねじ止め方式にて着脱可能に装着され、前記座部枠体の前記Ｌ形接続ピン部材と対向する面には前記Ｌ形接続ピン部材の凹凸嵌合用有底孔が複数個縦設され、前記Ｌ形接続ピン部材の突起部の上下位置を前後逆にして前記座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となしたことを特徴とする椅子型簡易便器。
【発明の詳細な説明】
【技術分野】
【０００１】
本発明は、高齢者や足腰の弱い人、身体の不自由な人が、介護者の手助けを借りずに自力で安全にかつ容易に、しかも清潔に使用できる椅子型の簡易便器の改良に関するものである。
【背景技術】
【０００２】
高齢者や足腰の弱い人、身体の不自由な人のために開発された椅子型の簡易便器は、各種施設や病院、一般家庭において広く普及しつつある。
この種の従来の簡易便器としては、例えば椅子型の便器本体の座面部に蝶番で取着された開閉式の便座の下にバケツ形便器（図面省略）が取付けられ、かつ便座の上側に蝶番で取着された開閉式の座りパットが設けてあり、便器使用時には座りパットを起こして背もたれに相重ね、この座りパットを背もたれにして用を足し、一方、椅子として使用する場合は、前記座りパットを倒して便座の上に相重ねるようになっているもの、脚体に高さ調整可能に支持された座部枠体に開閉式便座を有し、前記座部枠体には背もたれが一体に設けられ、前記便座には着脱式の便器を有し、便座の両サイド部には肘掛けを兼ねる一対の着脱式把手を備え、便座の上に載置する開閉式座りパットを有する椅子型簡易便器の他、座部枠体の前面部を改良して座面から立ち上がり易くするとともに、使用する人の背丈や体格あるいは座高に十分に対応できるように背もたれ深さを調整可能となし、さらに手の不自由な方や腕力が劣る人のことを考慮して開閉式便座と開閉式座りパットの開閉をほとんど力を要することなく軽快に行うことができる椅子型簡易便器等が知られている。
【０００３】
しかしながら、この種の簡易便器は、高齢者や足腰の弱い人、身体の不自由な人にとっては、便器に腰掛けたり、便器から立ち上がったりする時、便座が水平であると大きな労力を要すること、排便に適した前傾姿勢がとりにくいこと、といった問題があった。そこで、このような問題を解決するため、従来、便器本体枠の上面の座枠を傾斜可能にしたもの（特許文献１、特許文献２参照）、便座を任意角度に前傾可能にしたもの（特許文献３参照）等が提案されている。このうち特許文献１に記載のものは、便器本体枠の上面に便座付き座枠が取付けられ、該座枠は前端両側を該当該本体枠の上面前部に枢着され、後端両側には一個又は複数個の係合孔が設けられ、本体枠の後端両側には該座枠の係合孔に対応する係合孔が縦設され、該本体枠の係合孔のうちの一つを選んで該座枠の係合孔を合わせ、本体枠の係合孔の外側から係止棒を座枠の係合孔に対応する係合孔に挿通して座枠の傾きを調節する仕組みとなしたものである。又、特許文献２に記載のものは、便器本体枠の上面に取付けた便座付き座枠の前端部を該便器本体枠に軸着し、該座枠の前端部を回動中心として当該座枠を水平状態から前傾状態まで回動可能にし、座枠の前傾状態において、便器本体枠の背板に回動可能に取付けた回動ブロックを起立させて座枠の後端を支持する機構を備えたものである。さらに特許文献３に記載のものは、便器本体上面に前端部を中心として上下動可能な上板を設け、該上板に便座を載置固定し、上板の後部裏面に根端を当該便器本体側に枢着したロック付きガススプリングにより便座を前傾させる機構となしたものである。
【先行技術文献】
【特許文献】
【０００４】
【特許文献１】特開２００５−１１１１０９号公報
【特許文献２】特開２００６−８７４８５号公報
【特許文献３】特開２００４−９７４７０号公報
【発明の概要】
【発明が解決しようとする課題】
【０００５】
しかしながら、前記した従来の椅子型簡易便器には以下に記載する問題がある。即ち、座枠を上下方向に回動させてその傾きを調整する方式の特許文献１の椅子型簡易便器、回動ブロックを起立させて座枠を前傾状態に保持する方式の特許文献２の椅子型簡易便器の場合は、便座の高さと傾き調節が別々の機構となっているため、便座の高さと傾きを変更する場合はその調節作業が面倒で手間がかかるといった問題がある。又、ガススプリングにより便座の傾斜角度を調節する方式を採用した特許文献３の椅子型簡易便器の場合は、便座の角度調節機構が比較的複雑でコストが高くつく上、この方式の場合も便座の高さと傾き調節が別々の機構となっているため、その調節作業を簡単に行うことができないという問題がある。
【０００６】
本発明は、前記した従来の椅子型簡易便器の問題を解決するためになされたもので、構造簡単にして便座の高さと傾きの調節を簡易迅速に行うことが可能な椅子型簡易便器を提供しようとするものである。
【課題を解決するための手段】
【０００７】
本発明に係る椅子型簡易便器は、脚体に高さ調整可能に支持された座部枠体に開閉式便座を有し、前記座部枠体には背もたれが一体に設けられ、前記便座には着脱式の便器を有し、前記便座の両サイド部には跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体が高さ調整可能に取付けられ、前記開閉式便座と開閉式座りパットがそれぞれ前記座部枠体の背面側に相重なるように着脱可能に取着された椅子型簡易便器において、前記接地部材に立設した垂直板の前記座部枠体との対向面の前後上端部に、一端に突起部を有するＬ形接続ピン部材がねじ止め方式にて着脱可能に装着され、前記座部枠体の前記Ｌ形接続ピン部材と対向する面には前記Ｌ形接続ピン部材の凹凸嵌合用有底孔が複数個縦設され、前記Ｌ形接続ピン部材の突起部の上下位置を前後逆にして前記座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となしたことを特徴とするものである。
【発明の効果】
【０００８】
本発明の椅子型簡易便器は、接地部材に立設した垂直板に着脱可能に装着されるＬ形接続ピン部材の突起部の上下位置を変更（Ｌ形接続ピン部材の向きを変更）するだけで、開閉式便座を有する座部枠体の前後方向の傾きを調節することができるのみならず、座部枠体の高さの調節も同時に行うことができるので、座部枠体の高さと傾きの調節を簡易迅速に行うことができるのみならず、その座部枠体の傾斜及び高さの調節機構も簡単な機構で構成されることによりコストも高くつくことはない。
【図面の簡単な説明】
【０００９】
【図１】本発明に係る椅子型簡易便器の構造例を示す斜視図である。
【図２】同上簡易便器の使用状態を示す斜視図である。
【図３】同上簡易便器の座部枠体が水平状態の場合の側面図である。
【図４】同上簡易便器の座部枠体と脚体の結合部分を示す要部縦断面図である。
【図５】同上簡易便器の座部枠体の傾斜及び高さ調整機構の主たる構成部品であるＬ形接続ピン部材を拡大して示す斜視図である。
【図６】同上簡易便器の座部枠体の傾斜及び高さ機構を説明するための座部枠体と脚体及びＬ形接続ピン部材を示す分解斜視図である。
【図７】同上簡易便器の座部枠体の傾斜状態を示す説明図で、（Ａ）は座部枠体の前傾状態を示す側面図、（Ｂ）は座部枠体の後傾状態を示す側面図である。
【発明を実施するための形態】
【００１０】
図１に示す本発明に係る椅子型簡易便器は、前面板１−１及び左右両側面板１−２で構成された矩形の枠体からなる座部枠体１と、この座部枠体１を高さ及び傾斜調整可能に支持する左右一対の脚体２、及び背もたれ６とで便器本体を構成したもので、前記座部枠体１の前面板１−１は内側に傾斜してその両端部が左右両側面板１−２に取着され、さらに該前面板１−１の下部には当該前面板の内面に沿って上下にスライド可能な湾曲板１−３が取付けられている。
【００１１】
座部枠体１を支持する左右一対の脚体２は、便器本体の奥行き長さとほぼ同程度の長さを有する細幅の長尺材からなる接地部材２−１と、該接地部材２−１の上面に立設した広幅の矩形板からなる垂直板２−２とで構成され、座部枠体１の傾斜及び高さ調整機構は図３〜図６に示すごとく前記垂直板２−２の前記座部枠体１との対向面（外側面）の前後上端部に設けた座部枠体１の高さ及び傾斜調整用孔２−２ａと、前記垂直板２−２に設けた座部枠体１の高さ及び傾斜調整用孔２−２ａにねじ４にて着脱可能に取着する、座部枠体１の傾斜及び高さ調整用のＬ形接続ピン部材３と、前記座部枠体１の側面板１−２の内側面に高さ方向に間隔を置いて複数個設けられた前記Ｌ形接続ピン部材３の凹凸嵌合用有底孔１−２ａと、前記垂直板２−２の中央部に縦設した座部枠体１の締結用ガイド孔２−２ｂと、座部枠体１の左右両側面板１−２に前記締結用ガイド孔２−２ｂと対応する位置に穿設したピン孔１−２ｂより挿入して垂直板２−２の締結用ガイド孔２−２ｂに貫通させて締付ける垂直板２−２と座部枠体１の締結用ねじピン５とからなる。ここで、前記座部枠体１の傾斜及び高さ調整用のＬ形接続ピン部材３は、図５に拡大して示すように台板部３−１と、該台板部３−１の一端に当該台板部と直角に突設した突起部３−２及び前記台板部３−１に形成されたねじ穴３−３とからなり、その台板部３−１が座部枠体１の高さ及び傾斜調整用孔２−２ａに面一に埋め込まれて突起部３−２が垂直板２−２の外側面より突出した状態でねじ４にて着脱可能に取着されるようになっている。又、このＬ形接続ピン部材３は、座部枠体１の側面板１−２に縦設された凹凸嵌合用有底孔１−２ａの縦方向間隔との関係において、側面板１−２の前後端部に取着する当該Ｌ形接続ピン部材３の突起部３−２の向きを上下逆にした場合に座部枠体１が前傾状態又は後傾状態になるように形成されている。
なお、このＬ形接続ピン部材３の台板部３−１と突起部３−２の形状構造はここに示す丸みを帯びた形状に限定するものではなく、例えば矩形のような四角形状、あるいは丸形と矩形の組合わせ形状でもよいことはいうまでもない。
【００１２】
座部枠体１と脚体２の締結は、図３、図４に示すように脚体２側の接地部材２−１の上面に立設した垂直板２−２に設けた座部枠体１の高さ及び傾斜調整用孔２−２ａにＬ形接続ピン部材３を凹凸嵌合してねじ４にて取付け、該Ｌ形接続ピン部材３の突起部３−２を座部枠体１側の左右両側面板１−２に設けた凹凸嵌合用有底孔１−２ａに凹凸嵌合させて脚体２の垂直板２−２を座部枠体１の左右両側面板１−２の内側に相重ねた状態で、座部枠体１の左右両側面板１−２に設けたピン孔１−２ｂより締結用ねじピン５を挿入するとともに垂直板２−２の締結用ガイド孔２−２ｂに貫通させて締付けることにより行われるようになっている。
【００１３】
なお、ここに例示した椅子型簡易便器の背もたれ６は、座部枠体１の背面側端部に固着された左右一対の支柱６−１と該支柱間に横設された背当て材６−２及び当該支柱の下部に横設された補強板６−３とで構成されている。開閉式便座７は、当該便座の背もたれ側底面に横設した１本のロッド７−１の両端部を、座部枠体１の背もたれ側左右両側面板１−２に設けた溝部１−２ｃに上から着脱可能に凹凸嵌合させ、該ロッド７−１を支点に開閉自在となし、さらに背もたれ６の補強板６−３の内壁にブラケット７−３を介して取付けたバネシリンダー７−２により当該便座を弾性支持した構成となっている。この開閉式便座７にはその開口７−４の下方にバケツ形便容器（図面省略）が吊架方式等により着脱可能に取付けられるようになっている。この開閉式便座７の上に載置する開閉式座りパット８は、ほぼ同一大きさの２枚のパット単体をその接合部から二つ折りできるように布あるいは蝶番等で回動自在に接続して構成され、使用時には開閉式便座７の上に相重なり、当該座りパット８を開く時（背もたれ側に起こす時）には背もたれ側に回動して二つに折りたたまれて縦向きに支持されるようになっている。跳ね上げ式肘掛け９は、その後端部を背もたれ６の支柱６−１に軸ピン９Ａ−１にて上下方向に可動可能に枢着され、かつ前端側に設けたジョイント９Ａ−２に軸ピン９Ａ−３にて上下方向に回動可能に枢着された支持部材９Ａ−４が座部枠体１の左右両側面板１−２に枢着された接合突起９Ａ−５に着脱可能に嵌合されて水平に支持されると共に、前記支持部材９Ａ−４の下端部に枢着したＬ形ストッパー９Ａ−６を前記接合突起９Ａ−５の真下に回動位置させることによってロック（抜け止め）され、Ｌ形ストッパー９Ａ−６を横方向に回動位置させることによってロックが解除される仕組みとなっている。
【００１４】
次に、上記構造の椅子型簡易便器における座部枠体１の傾斜及び高さの調節を行う場合の操作について説明する。
即ち、座部枠体１を水平状態に保持する場合は、脚体２側の接地部材２−１の上面に立設した垂直板２−２に設けた座部枠体１の高さ及び傾斜調整用孔２−２ａに取付ける左右一対の２組のＬ形接続ピン部材３を、当該ピン部材の突起部３−２の上下位置を前後揃えて垂直板２−２の高さ及び傾斜調整用孔２−２ａに取付け、該Ｌ形接続ピン部材３の突起部３−２を座部枠体１側の左右両側面板１−２に設けた凹凸嵌合用有底孔１−２ａに凹凸嵌合させて脚体２の垂直板２−２を座部枠体１の左右両側面板１−２の内側に相重ねた状態で、座部枠体１の左右両側面板１−２に設けたピン孔１−２ｂより締結用ねじピン５を挿入するとともに垂直板２−２の締結用ガイド孔２−２ｂに貫通させて締付ける。次に、図７（Ａ）に示すように座部枠体１を前傾状態にする場合は、左右一対の２組のＬ形接続ピン部材３のうち前端側のＬ形接続ピン部材３を当該突起部３−２が下側に位置するように垂直板２−２の高さ及び傾斜調整用孔２−２ａに取付け、後端側のＬ形接続ピン部材３を当該突起部３−２が前端側とは逆の上側に位置するように垂直板２−２の高さ及び傾斜調整用孔２−２ａに取付け、この前後端のＬ形接続ピン部材３をそれぞれ左右両側面板１−２の凹凸嵌合用有底孔１−２ａに凹凸嵌合させて脚体２の垂直板２−２を座部枠体１の左右両側面板１−２の内側に相重ねた後、座部枠体１の左右両側面板１−２に設けたピン孔１−２ｂより締結用ねじピン５を挿入するとともに垂直板２−２の締結用ガイド孔２−２ｂに貫通させて締付ける。又、図７（Ｂ）に示すように座部枠体１を後傾状態にする場合は、前記と逆の操作を行う。即ち、左右一対の２組のＬ形接続ピン部材３のうち前端側のＬ形接続ピン部材３を当該突起部３−２が上側に位置するように垂直板２−２の高さ及び傾斜調整用孔２−２ａに取付け、後端側のＬ形接続ピン部材３を当該突起部３−２が前端側とは逆の下側に位置するように垂直板２−２の高さ及び傾斜調整用孔２−２ａに取付け、この前後端のＬ形接続ピン部材３をそれぞれ左右両側面板１−２の凹凸嵌合用有底孔１−２ａに凹凸嵌合させて脚体２の垂直板２−２を座部枠体１の左右両側面板１−２の内側に相重ねた後、座部枠体１の左右両側面板１−２に設けたピン孔１−２ｂより締結用ねじピン５を挿入するとともに垂直板２−２の締結用ガイド孔２−２ｂに貫通させて締付ける。なお、左右一対の２組のＬ形接続ピン部材３を凹凸嵌合させる左右両側面板１−２の凹凸嵌合用有底孔１−２ａの高さ方向位置を選ぶことによって座部枠体１の高さ調節も同時に行うことができることはいうまでもない。
【符号の説明】
【００１５】
１  座部枠体
１−１  前面板
１−２  側面板
１−２ａ  凹凸嵌合用有底孔
１−２ｂ  ピン孔
１−２ｃ  溝部
１−３  湾曲板
２  脚体
２−１  接地部材
２−２  垂直板
２−２ａ  座部枠体の高さ及び傾斜調整用孔
２−２ｂ  締結用ガイド孔
３  Ｌ形接続ピン部材
３−１  台板部
３−２  突起部
３−３  ねじ穴
４  ねじ
５  締結用ねじピン
６  背もたれ
６−１  支柱
６−２  背当て材
６−３  補強板
７  開閉式便座
７−１  ロッド
７−２  バネシリンダー
７−３  ブラケット
７−４  開口
８  開閉式座りパット
９  跳ね上げ式肘掛け
９Ａ−１  軸ピン
９Ａ−２  ジョイント
９Ａ−３  軸ピン
９Ａ−４  支持部材
９Ａ−５  接合突起
９Ａ−６  Ｌ形ストッパー
【図１】
2017064308.tif 000003
【図２】
2017064308.tif 000004
【図３】
2017064308.tif 000005
【図４】
2017064308.tif 000006
【図５】
2017064308.tif 000007
【図６】
2017064308.tif 000008
【図７】
2017064308.tif 000009
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
脚体に高さ調整可能に支持された座部枠体に開閉式便座を有し、前記座部枠体には背もたれが一体に設けられ、前記便座には着脱式の便器を有し、前記便座の両サイド部には跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体が高さ調整可能に取付けられ、前記開閉式便座と開閉式座りパットがそれぞれ前記座部枠体の背面側に相重なるように座部枠体に取着された椅子型簡易便器において、前記接地部材に立設した垂直板の前記座部枠体との対向面の前後上端部に、一端に突起部を有するＬ形接続ピン部材がねじ止め方式にて着脱可能に装着され、前記座部枠体の前記Ｌ形接続ピン部材と対向する面には前記Ｌ形接続ピン部材の凹凸嵌合用有底孔が複数個縦設され、前記Ｌ形接続ピン部材の突起部の上下位置を前後逆にして前記座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となしたことを特徴とする椅子型簡易便器。
【手続補正２】
【補正対象書類名】明細書
【補正対象項目名】０００７
【補正方法】変更
【補正の内容】
【０００７】
本発明に係る椅子型簡易便器は、脚体に高さ調整可能に支持された座部枠体に開閉式便座を有し、前記座部枠体には背もたれが一体に設けられ、前記便座には着脱式の便器を有し、前記便座の両サイド部には跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体が高さ調整可能に取付けられ、前記開閉式便座と開閉式座りパットがそれぞれ前記座部枠体の背面側に相重なるように座部枠体に取着された椅子型簡易便器において、前記接地部材に立設した垂直板の前記座部枠体との対向面の前後上端部に、一端に突起部を有するＬ形接続ピン部材がねじ止め方式にて着脱可能に装着され、前記座部枠体の前記Ｌ形接続ピン部材と対向する面には前記Ｌ形接続ピン部材の凹凸嵌合用有底孔が複数個縦設され、前記Ｌ形接続ピン部材の突起部の上下位置を前後逆にして前記座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となしたことを特徴とするものである。
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
脚体に高さ調整可能に支持された座部枠体に開閉式便座を有し、前記座部枠体には背もたれが一体に設けられ、前記便座には着脱式の便器を有し、前記便座の両サイド部には跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体が高さ調整可能に取付けられ、前記開閉式便座と開閉式座りパットがそれぞれ前記座部枠体に取着された椅子型簡易便器において、前記接地部材に立設した垂直板の前記座部枠体との対向面の前後上端部に、一端に突起部を有するＬ形接続ピン部材がねじ止め方式にて着脱可能に装着され、前記座部枠体の前記Ｌ形接続ピン部材と対向する面には前記Ｌ形接続ピン部材の凹凸嵌合用有底孔が複数個縦設され、前記Ｌ形接続ピン部材の突起部の上下位置を前後逆にして前記座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となしたことを特徴とする椅子型簡易便器。
【手続補正２】
【補正対象書類名】明細書
【補正対象項目名】０００７
【補正方法】変更
【補正の内容】
【０００７】
本発明に係る椅子型簡易便器は、脚体に高さ調整可能に支持された座部枠体に開閉式便座を有し、前記座部枠体には背もたれが一体に設けられ、前記便座には着脱式の便器を有し、前記便座の両サイド部には跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体が高さ調整可能に取付けられ、前記開閉式便座と開閉式座りパットがそれぞれ前記座部枠体に取着された椅子型簡易便器において、前記接地部材に立設した垂直板の前記座部枠体との対向面の前後上端部に、一端に突起部を有するＬ形接続ピン部材がねじ止め方式にて着脱可能に装着され、前記座部枠体の前記Ｌ形接続ピン部材と対向する面には前記Ｌ形接続ピン部材の凹凸嵌合用有底孔が複数個縦設され、前記Ｌ形接続ピン部材の突起部の上下位置を前後逆にして前記座部枠体の凹凸嵌合用有底孔に嵌合させることにより前記座部枠体が前傾状態又は後傾状態に傾斜可能かつ高さ調整可能となし、前記垂直板に予め縦設した締結用ガイド孔に貫通する締結用ねじピンにて該垂直板に前記座部枠体が締結される構造となしたことを特徴とするものである。